(57)【要約】【目的】所望の場面を素早く探し出すことができるディジタル映像再生装置を提供する。【構成】ユーザから番組の録画指令を受けたとき、デマルチプレクサ３から出力されるその番組を構成するパーシャルＴＳを内蔵ハードディスクドライブ６に書き込むと共に、字幕文字データとその提示時刻情報とを対応付けたテーブルを作成し、録画番組とリンクさせて記憶する。字幕文字による映像検索指令を受けたときには、文字入力画面をＯＳＤ表示し、文字入力を受け付ける。入力された文字に一致する或いは類似する字幕文字をテーブルから検索し、その字幕文字の提示時刻の映像を再生する。【選択図】　　　　　　　　図１
2004080476.tif 000002
【特許請求の範囲】
【請求項１】
記録媒体に記録されたディジタル映像を再生するディジタル映像再生装置において、字幕文字とその提示時刻情報とが対応付けられたテーブルに基づいて字幕文字とその提示時刻情報の一覧表示を行う手段と、一覧表示上で選択された字幕文字に対応する提示時刻情報に基づいて映像データを再生して出力する手段と、を備えたことを特徴とするディジタル映像再生装置。
【請求項２】
記録媒体に記録されたディジタル映像を再生するディジタル映像再生装置において、検索ワードの入力を受け付ける手段と、字幕文字とその提示時刻情報とが対応付けられたテーブルに基づいて、前記入力された検索ワードに一致或いは類似する字幕文字を検索して提示時刻情報を取得する手段と、取得した提示時刻情報に対応する映像データを再生して出力する手段と、を備えたことを特徴とするディジタル映像再生装置。
【請求項３】
請求項２に記載のディジタル映像再生装置において、複数の字幕文字が検索されて複数の提示時刻情報が得られた場合に、提示時刻一覧を表示し、その中でユーザにより選択された提示時刻情報に対応する映像データを再生して出力するように構成されたことを特徴とするディジタル映像再生装置。
【請求項４】
請求項３に記載のディジタル映像再生装置において、提示時刻一覧のなかでユーザにより選択された提示時刻の前側及び／又は後側を含む時間内での字幕文字とその提示時刻情報の一覧表示を行い、この一覧表示上で選択された提示時刻情報に基づいて映像データを再生して出力するように構成されたことを特徴とするディジタル映像再生装置。
【請求項５】
請求項１乃至請求項４のいずれかに記載のディジタル映像再生装置において、ディジタル放送を受信する受信手段と、受信したディジタル放送を記録する記録手段と、ディジタル放送から字幕文字データを取り出すと共にその提示時刻情報とを対応付けてテーブルを作成するテーブル作成手段と、を備えたことを特徴とするディジタル映像再生装置。
【発明の詳細な説明】
【０００１】
【産業上の利用分野】
この発明は、受信し記録したディジタル放送映像や他のディジタル映像を再生するディジタル映像再生装置に関する。
【０００２】
【従来の技術】
ディジタル放送システムにおいては、放送局側で番組に関する情報等を映像や音声に付加して圧縮し、ＭＰＥＧ２（Ｍｏｖｉｎｇ　Ｐｉｃｔｕｒｅ　Ｅｘｐｅｒｔｓ　Ｇｒｏｕｐ２）によって多重化したトランスポート・ストリームをディジタル変調して送信している。そして、受信装置の側では、受信したディジタル変調信号を復調してトランスポート・ストリームを生成し、これを映像、音声、その他の情報に分離して解析することによりユーザに番組等を提示している。また、ディジタル放送システムにおいては、放送局側で例えば映画の字幕に関する情報を、映像や音声とは別のＰＥＳ（Ｐａｃｋｅｔｉｚｅｄ　Ｅｌｅｍｅｎｔａｒｙ　Ｓｔｒｅａｍ）中に格納してトランスポート・ストリームに多重して送出している。受信装置においては、この情報をトランスポート・ストリームから分離して解析することにより、字幕を画面に表示している。
【０００３】
また、受信装置が受信したディジタル信号を記録することができるディジタル信号記録装置も開発されている。このディジタル信号記録装置としては、Ｄ−ＶＨＳ、ハードディスク、ＤＶＤ−ＲＡＭなどの各種方式が知られている。
【０００４】
ところで、字幕や文字スーパーの情報を格納した字幕ＰＥＳデータは、ストリームＩＤ、ＰＴＳ（Ｐｒｅｓｅｎｔａｔｉｏｎ　Ｔｉｍｅ　Ｓｔａｍｐ）、ＤＴＳ（Ｄｅｃｏｄｉｎｇ　Ｔｉｍｅ　Ｓｔａｍｐ）、データグループＩＤ、及び一つのデータグループデータを含んでいる。データグループデータは、一つあるいは複数のデータユニットを含む。また、データグループデータには、字幕管理データを示すものと字幕文データを示すものとがあり、それらはデータグループＩＤによって区別される。
【０００５】
字幕管理データには、字幕のｌａｎｇｕａｇｅ＿ｔａｇ（言語識別）や表示書式（解像度や縦書き横書きの区別等）といった字幕の属性を示す情報が含まれており、字幕を表示する番組においては最低でも５秒に一度は送出され、番組の字幕の有無の判断基準ともなっている。更に、字幕管理データには、ＴＭＤ（時刻制御モード）やｎｕｍ＿ｌａｎｇｕａｇｅ（言語数）、ＤＭＦ（表示モード）、ＩＳＯ＿６３９＿ｌａｎｇｕａｇｅ＿ｃｏｄｅ（言語コード）、ＴＣＳ（文字符号化方式）といった情報が含まれており、これに続くデータユニットには、ＡＲＩＢ　ＳＴＤ−Ｂ３やＡＲＩＢ　ＳＴＤ−Ｂ２４で規定されている８単位符号により、実際の画面提示には関連しない字幕のデータが記述されている。一方、字幕文データのデータユニットには、実際に表示する字幕や文字スーパーの内容が８単位符号により記述されている。更に、ＴＭＤ及びＳＴＭ（提示開始時刻）が含まれており、前記ＳＴＭにはＴＭＤにより時刻同期が指定された場合に同期すべき時刻を示す値が格納されている。
【０００６】
画面に表示する字幕は、字幕文データ中のＴＭＤと字幕文データの含まれるデータグループ中のＰＴＳに従うことにより、映像に同期させて表示することができる（ＰＴＳ同期）。一方、文字スーパーは、字幕文データ中のＴＭＤとＳＴＭによって、特定の時刻に同期させて表示することができる（ＳＴＭ同期）。
【０００７】
【発明が解決しようとする課題】
ところで、記録映像の或る場面を見たい（再生したい）と思うとき、ユーザは例えば早送り再生によって場面を探すことになろう。しかしながら、このような早送り再生で所望の場面を探すのは面倒である。
【０００８】
この発明は、上記の事情に鑑み、所望の場面を字幕文字を手がかりに素早く探し出すことができるディジタル映像再生装置を提供することを目的とする。
【０００９】
【課題を解決するための手段】
この発明のディジタル映像再生装置は、上記の課題を解決するために、記録媒体に記録されたディジタル映像を再生するディジタル映像再生装置において、字幕文字とその提示時刻情報とが対応付けられたテーブルに基づいて字幕文字とその提示時刻情報の一覧表示を行う手段と、一覧表示上で選択された字幕文字に対応する提示時刻情報に基づいて映像データを再生して出力する手段と、を備えたことを特徴とする。
【００１０】
上記の構成であれば、映像の早送りによる場面（映像）の検索ではなく、一覧表示された字幕文字によって所望の場面を素早く探し出すことができる。
【００１１】
また、この発明のディジタル映像再生装置は、記録媒体に記録されたディジタル映像を再生するディジタル映像再生装置において、検索ワードの入力を受け付ける手段と、字幕文字とその提示時刻情報とが対応付けられたテーブルに基づいて、前記入力された検索ワードに一致或いは類似する字幕文字を検索して提示時刻情報を取得する手段と、取得した提示時刻情報に対応する映像データを再生して出力する手段と、を備えたことを特徴とする。
【００１２】
上記の構成であれば、映像の早送りによる場面（映像）の検索ではなく、ユーザが入力した文字に一致或いは類似する字幕文字によって所望の場面を素早く探し出すことができる。
【００１３】
また、複数の字幕文字が検索されて複数の提示時刻情報が得られた場合に、提示時刻一覧を表示し、その中でユーザにより選択された提示時刻情報に対応する映像データを再生して出力するように構成されていてもよい。また、提示時刻一覧のなかでユーザにより選択された提示時刻の前側及び／又は後側を含む時間内での字幕文字とその提示時刻情報の一覧表示を行い、この一覧表示上で選択された提示時刻情報に基づいて映像データを再生して出力するように構成されていてもよい。
【００１４】
また、ディジタル放送を受信する受信手段と、受信したディジタル放送を記録する記録手段と、ディジタル放送から字幕文字データを取り出すと共にその提示時刻情報とを対応付けてテーブルを作成するテーブル作成手段と、を備えて構成されるのがよい。
【００１５】
【発明の実施の形態】
以下、この発明の実施形態を図１乃至図５に基づいて説明する。図１はこの実施形態の映像記録再生機能を有するディジタル放送受信装置を示したブロック図である。
【００１６】
アンテナ１は、屋外において所定の方向に向けて配置されており、例えば、ＢＳ（Ｂｒｏａｄｃａｓｔｉｎｇ　　Ｓａｔｅｌｌｉｔｅ）から送られてくるディジタル放送波を受信する。このアンテナ１は、一般に周波数変換器を備え、受信／周波数変換した信号をチューナ２に与える。
【００１７】
チューナ２は、受信した高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポートストリームを出力する。
【００１８】
デマルチプレクサ（ＤＥＭＵＸ）３は、チューナ２から受け取ったトランスポート・ストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、ＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）、及び他の情報に分離する。デマルチプレクサ３は、ビデオストリームとオーディオストリームをＡＶデコーダ４に供給し、ＰＳＩ／ＳＩや字幕文字データなどの他の情報をＭＰＵ１７に供給する。トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。
【００１９】
録画再生処理部４は、デマルチプレクサ３から出力されたパーシャルＴＳを内蔵ハードディスクドライブ（ＨＤＤ）６に書き込んだり、ハードディスクドライブ６からパーシャルＴＳを読み出す他、外部装置（他のディジタル放送受信装置、オーディオセット、ビデオカメラ、ストレージ等のディジタル機器）３１との間でＩＥＥＥ１３９４インターフェース５を通じてパーシャルＴＳの入出力をも行うこととしている。
【００２０】
ＡＶデコーダ７は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路８に出力され、音声データは音声処理回路９に出力される。
【００２１】
映像処理回路８は、ＡＶデコーダ７から映像データを受け取ってＤ／Ａ変換を行い、例えばＮＴＳＣフォーマットのコンポジット信号に変換する。音声信号処理回路９は、ＡＶデコーダ７から出力された音声データを受け取ってＤ／Ａ変換を行い、例えば右（Ｒ）音のアナログ信号および左（Ｌ）音のアナログ信号を生成する。
【００２２】
映像出力回路１０及び音声出力回路１１は出力抵抗や増幅器等を備えて成る。ＡＶ出力端子１２には出力部（左右音声出力端子等や映像出力端子のセット）が設けられており、この出力部には、ディスプレイやスピーカを備えるモニタ１４が映像／音声コード１３によって接続される。
【００２３】
ＯＳＤ（オンスクリーンディスプレイ）回路１９は、ＭＰＵ１７から出力指示された文字情報や色情報に基づくビットマップデータを加算器２０に出力する。加算器２０は前記ビットマップデータに基づく映像を受信映像に組み込む処理を行う。上記ＯＳＤ回路１９により、ＭＰＵ１７が受け取ったＰＳＩ／ＳＩに基づくＥＰＧ（Ｅｌｅｃｔｒｏｎｉｃ　　Ｐｒｏｇｒａｍ　　Ｇｕｉｄｅ）画面表示、メニュー画面表示、字幕文字データによる字幕表示、検索ワードの入力画面表示、検索結果表示などの各種表示が実現される。
【００２４】
リモコン送信機１５は、当該放送受信装置３０に指令を送出するための送信機である。このリモコン送信機１５に設けられたキーを操作すると、そのキーに対応した指令を意味する信号光（リモコン信号）が図示しない発光部から送出される。リモコン受光器１６は、前記リモコン送信機１５のキーが操作されたときに出射される信号光を受光し、これを電気信号に変換してＭＰＵ１７に与える。また、リモコン送信機１５の各キーには文字が割り当てられており、文字入力モードでは各キーの操作が文字入力指令として処理されるようになっている。
【００２５】
メモリ（例えば、フラッシュＲＯＭやＥＥＰＲＯＭ等）１８には、ＥＰＧ画面表示のための番組表データなどが格納される他、字幕文字データとその提示時刻情報とを対応付けるテーブルの作成に利用される。
【００２６】
ＭＰＵ１７は、字幕文字に関して以下の処理を行う。
【００２７】
▲１▼．ユーザーが字幕表示モードを選択している時、現在受信中の字幕文字データを現在受信中の番組映像に組み込んで映像表示を行う。
【００２８】
▲２▼．ユーザから番組の録画指令を受けたとき、デマルチプレクサ３から出力されるその番組を構成するパーシャルＴＳを内蔵ハードディスクドライブ（ＨＤＤ）６に書き込んだり、外部装置３１に書き込む。
【００２９】
▲３▼．上記番組録画に際して、字幕文字データとその提示時刻情報とを対応付けたテーブルを作成する。提示時刻情報は字幕文字出現タイミングとそのときの映像との対応をとることができるものであればよく、例えば、録画開始時にタイマーをスタートさせ、字幕文字出現時のタイマー時間を提示時刻情報とすることもできるし、字幕文データ中のＰＴＳ（Ｐｒｅｓｅｎｔａｔｉｏｎ　Ｔｉｍｅ　Ｓｔａｍｐ）などを提示時刻情報とすることもできる。テーブルの作成にはメモリ１８を用い、作成したテーブルは、内蔵ハードディスクドライブ６などに当該録画番組とリンクさせて記録する。作成されたテーブルの内容を模式的に示すと、図２に示すようである。
【００３０】
▲４▼．録画番組の再生やＤＶＤ再生において、字幕文字による映像検索指令を受けたときには、文字入力画面をＯＳＤ表示し、文字入力を受け付ける。なお、ＤＶＤには前記テーブルに相当する内容が予め格納されているものとする。
【００３１】
▲５▼．文字入力の後に例えば「決定」のボタンが操作されると、字幕文字による映像検索を実行する。まず、入力文字に一致する或いは類似する字幕文字をテーブルから検索し、図３に示すように、検索された字幕文字の提示時刻情報の一覧を表示する。
【００３２】
▲６▼．提示時刻情報の一覧画面上でユーザにより選択された提示時刻の後側を含む所定時間内での字幕文字とその提示時刻情報の一覧表示を行う。この一覧表示例を図４に示す。
【００３３】
▲７▼．図４に例示した一覧表示画面上でユーザは、図５に示すように、所望の箇所を選択することができる。ＭＰＵ１７は選択された箇所の提示時刻情報に基づき、当該時刻に対応する箇所から映像データが再生されるように録画再生処理部４に指令を出す。
【００３４】
上記の例では、図３に示した提示時刻情報の一覧画面上でユーザにより選択された提示時刻の後側を含む所定時間内での字幕文字とその提示時刻情報の一覧表示を行うようにしたが、提示時刻の前側を含む所定時間内での字幕文字とその提示時刻情報の一覧表示を行うようにしてもよい。また、このような字幕文字とその提示時刻情報の一覧表示を行わずに、図３に示した提示時刻情報の一覧画面上でユーザにより選択された提示時刻（例えば、００：００：３１）に基づき、直ちに映像再生を行うようにしてもよい。このとき、例えば画面に「次」のボタンを表示し、このボタンが操作されたとき、或いはリモコン送信機の右方向キー等が操作されたときに次の提示時刻（００：００：３１）に基づき、再生を行うようにすればよい。
【００３５】
また、入力された検索ワードに基づいて提示時刻を検索するようにしたが、全時間内での或いは所定時間範囲内での字幕文字とその提示時刻情報の一覧表示を行い、この一覧のなかからユーザに字幕文字（提示時刻）選択させるようにしてもよいものである。
【００３６】
【発明の効果】
以上説明したように、この発明によれば、映像の早送りによる場面（映像）の検索ではなく、一覧表示された字幕文字によって、或いは、ユーザが入力した文字に一致或いは類似する字幕文字によって所望の場面を素早く探し出すことができるという効果を奏する。
【図面の簡単な説明】
【図１】この発明の実施形態のディジタル放送受信装置を示したブロック図である。
【図２】字幕文字とその提示時刻情報とが対応付けられたテーブルを模式的に示した説明図である。
【図３】検索結果の画面表示例を示した説明図である。
【図４】図３の検索結果のなかで選択を行った場合に表示される字幕文字とその提示時刻情報との一覧画面を例示した説明図である。
【図５】図４の一覧画面上での選択例を示した説明図である。
【符号の説明】
２　　チューナ
３　　デマルチプレクサ
５　　ＩＥＥＥ１３９４インターフェイス
１７　ＭＰＵ
１８　メモリ
３０　ディジタル放送受信装置
３１　外部装置
【図１】
2004080476.tif 000003
【図２】
2004080476.tif 000004
【図３】
2004080476.tif 000005
【図４】
2004080476.tif 000006
【図５】
2004080476.tif 000007